(57)【要約】【課題】近接撮影において品質の高い写真を得ることができるカメラを提供する。【解決手段】シャッタボタン１８の押下を受けて、測光部６３で撮影しようとする被写体の明るさを測定する測光動作を行ない、ＡＦ測距部６２により検出された距離が近距離であったときは、ピント設定部６４で、光学ズームレンズ１１ａを、姿勢センサ４０により検出された姿勢の如何にかかわらず、ＡＦ測距部６２により検出された距離とあらかじめ定められた横姿勢とに応じた位置に移動させるようにＣＰＵ６１で制御する。【選択図】        図４
2004295008.tif 000002
【特許請求の範囲】
【請求項１】
光軸方向に移動することによりピントを調節するフォーカシングレンズを含む撮影光学系を備え、該撮影光学系を経由して入射してきた被写体光を捉えて写真撮影を行なうカメラにおいて、
このカメラの縦姿勢と横姿勢を検出する姿勢センサと、
被写体までの距離を検出する測距センサと、
前記フォーカシングレンズを、前記測距センサにより検出された距離と前記姿勢センサにより検出された姿勢とに応じた位置に移動させることによりピントを設定するピント設定部とを備え、
前記ピント設定部は、前記測距センサにより検出された距離が所定距離以内の近距離であったときは、前記フォーカシングレンズを、前記姿勢センサにより検出された姿勢の如何にかかわらず、前記測距センサにより検出された距離とあらかじめ定められた姿勢とに応じた位置に移動させるものであることを特徴とするカメラ。
【請求項２】
光軸方向に移動することによりピントを調節するフォーカシングレンズを含む撮影光学系を備えるとともに、所定の近距離範囲内での撮影が可能なマクロモードと該マクロモードでの撮影距離よりも遠方の被写体の撮影が可能な通常モードとを有し、被写体光を捉えて写真撮影を行なうカメラにおいて、
このカメラの縦姿勢と横姿勢を検出する姿勢センサと、
被写体までの距離を検出する測距センサと、
前記フォーカシングレンズを、前記通常モードにおいては前記測距センサにより検出された距離と前記姿勢センサにより検出された姿勢とに応じた位置に移動させることによりピントを設定するとともに、前記マクロモードにおいては前記姿勢センサにより検出された姿勢の如何にかかわらず、前記測距センサにより検出された距離とあらかじめ定められた姿勢とに応じた位置に移動させることによりピントを設定するピント設定部とを備えたことを特徴とするカメラ。
【発明の詳細な説明】
【０００１】
【発明の属する技術分野】
本発明は、光軸方向に移動することによりピントを調節するフォーカシングレンズを含む撮影光学系を経由して入射してきた被写体光を捉えることにより写真撮影を行なうカメラに関する。
【０００２】
【従来の技術】
光軸方向に移動することによりピントを調節するフォーカシングレンズを含む撮影光学系を備えたカメラでは、フォーカシングレンズの位置決めを精度よく行なうことにより、焦点ズレが小さく抑えられて品質の高い写真を得ることができる。このため、フォーカシングレンズの位置決めを精度よく行なう技術は重要である。一般に、カメラの撮影光学系において、ズームレンズ系ではズーム駆動モータ，複数の駆動用伝達ギア，ズームレンズ駆動カム等、多数の伝達機構部材および融合部材が備えられており、またフォーカシングレンズ系でもフォーカスモータ，複数の伝達ギア，フォーカシングレンズ駆動用のリードギア等、多数の伝達機構部材および融合部材が備えられている。このため、カメラを横向きに構えた場合と縦向きに構えた場合とでは、上記多数の伝達機構部材および融合部材の遊び量が異なる。また、近年、撮影レンズの小径系化に伴い、各レンズの変位量に対するピントの移動量は比較的大きく、従って上記遊び量による各レンズの変位に起因する焦点ズレも大きく、結果としてピントの悪い写真が得られるという問題がある。
【０００３】
この問題を解決するために、水銀スイッチからなる姿勢センサでカメラの姿勢を検知し、その姿勢情報に基づいて、フォーカシングレンズの繰り出し量を補正する技術が提案されている（特許文献１，特許文献２参照）。また、鋼球の位置をフォトセンサで検出することによりカメラの縦姿勢と横姿勢とを検出する技術も提案されている（特許文献３参照）。
【０００４】
【特許文献１】
特開平６−３００９６２号公報
【特許文献２】
特開平６−３００９６３号公報
【特許文献３】
特開平６−７４７６６号公報
【０００５】
【発明が解決しようとする課題】
しかし、上記特許文献１，特許文献２に提案された技術は、有害物質である水銀を用いるものであるため、カメラの製造工程において管理や保存にかなりの注意が必要とされる。また、カメラが破損して水銀が外部に流出すると、人体や環境に対して悪影響を及ぼす恐れがあるという問題がある。さらに、カメラを廃棄する場合にも制限が課せられるという問題もある。
【０００６】
一方、特許文献３に提案された技術では、鋼球の位置をフォトセンサで検出してカメラの縦姿勢と横姿勢とを検出するものであるため、上記のような問題は解決される。このようなカメラにおいて、カメラを下向きにして近接撮影を行なう場合がある。しかし、カメラを下向きにすると、鋼球の位置が定まらず、フォトセンサから出力される信号も縦姿勢を示す信号であったり横姿勢を示す信号であったりする。このため、フォーカシングレンズの正確な位置決めを行なうことは困難でありピントの悪い写真が得られることとなる。従って、近接撮影において品質の高い写真を得ることは困難であるという問題がある。
【０００７】
本発明は、上記事情に鑑み、近接撮影において品質の高い写真を得ることができるカメラを提供することを目的とする。
【０００８】
【課題を解決するための手段】
上記目的を達成する本発明のカメラのうちの第１のカメラは、光軸方向に移動することによりピントを調節するフォーカシングレンズを含む撮影光学系を備え、その撮影光学系を経由して入射してきた被写体光を捉えて写真撮影を行なうカメラにおいて、
このカメラの縦姿勢と横姿勢を検出する姿勢センサと、
被写体までの距離を検出する測距センサと、
上記フォーカシングレンズを、上記測距センサにより検出された距離と上記姿勢センサにより検出された姿勢とに応じた位置に移動させることによりピントを設定するピント設定部とを備え、
上記ピント設定部は、上記測距センサにより検出された距離が所定距離以内の近距離であったときは、上記フォーカシングレンズを、上記姿勢センサにより検出された姿勢の如何にかかわらず、上記測距センサにより検出された距離とあらかじめ定められた姿勢とに応じた位置に移動させるものであることを特徴とする。
【０００９】
本発明の第１のカメラは、測距センサにより検出された距離が所定距離以内の近距離であったときは、フォーカシングレンズを、このカメラの縦姿勢と横姿勢を検出する姿勢センサにより検出された姿勢の如何にかかわらず、上記測距センサにより検出された距離とあらかじめ定められた姿勢とに応じた位置に移動させるものである。一般に、近距離で撮影を行なう場合、カメラを横向きに構える場合が多い。そこで、鋼球の位置に基づいてカメラの縦姿勢と横姿勢を検出する姿勢センサを備えたカメラにおいて、そのカメラを下向きにして近距離で撮影を行なう場合であっても、その姿勢センサからの信号出力に関わらず、フォーカシングレンズを、上記測距センサにより検出された距離と上記横姿勢とに応じた位置に移動させる。このようにすることにより、近距離での撮影を行なう場合であっても品質の高い写真を得ることができる。
【００１０】
また、上記目的を達成する本発明のカメラのうちの第２のカメラは、光軸方向に移動することによりピントを調節するフォーカシングレンズを含む撮影光学系を備えるとともに、所定の近距離範囲内での撮影が可能なマクロモードとそのマクロモードでの撮影距離よりも遠方の被写体の撮影が可能な通常モードとを有し、被写体光を捉えて写真撮影を行なうカメラにおいて、
このカメラの縦姿勢と横姿勢を検出する姿勢センサと、
被写体までの距離を検出する測距センサと、
上記フォーカシングレンズを、上記通常モードにおいては上記測距センサにより検出された距離と上記姿勢センサにより検出された姿勢とに応じた位置に移動させることによりピントを設定するとともに、上記マクロモードにおいては上記姿勢センサにより検出された姿勢の如何にかかわらず、上記測距センサにより検出された距離とあらかじめ定められた姿勢とに応じた位置に移動させることによりピントを設定するピント設定部とを備えたことを特徴とする。
【００１１】
本発明の第２のカメラは、マクロモードにおいては、姿勢センサにより検出された姿勢の如何にかかわらず、測距センサにより検出された距離とあらかじめ定められた姿勢とに応じた位置にフォーカシングレンズを移動させるものである。一般に、マクロモードで撮影を行なう場合、カメラを横向きに構える場合が多い。そこで、鋼球の位置に基づいてカメラの縦姿勢と横姿勢を検出する姿勢センサを備えたカメラにおいて、そのカメラを下向きにしてマクロモードで撮影を行なう場合であっても、その姿勢センサからの信号出力に関わらず、フォーカシングレンズを、上記測距センサにより検出された距離と上記横姿勢とに応じた位置に移動させる。このようにすることにより、マクロモードでの撮影を行なう場合であっても、品質の高い写真を得ることができる。
【００１２】
【発明の実施の形態】
以下、本発明の実施形態について説明する。
【００１３】
図１は、本発明の第１のカメラの一実施形態を前面斜め上から見た外観斜視図である。
【００１４】
このカメラ１は、光軸方向に移動することによりピントを調節する、本発明にいうフォーカシングレンズの一例に相当する光学ズームレンズ１１ａを含む撮影光学系を備え、その撮影光学系を経由して入射してきた被写体光を捉えて、ロール状の写真フイルムに写真撮影を行なうカメラである。
【００１５】
図１に示すカメラ１の前面中央部には、光学ズームレンズ１１ａを内部に備えたズーム鏡胴１１が備えられている。
【００１６】
また、このカメラ１の前面上部には、リモコン受信部を構成するリモコン受信窓１２と、オートフォーカス（ＡＦ）測距部（本発明にいう測距センサの一例に相当）を構成する被写体像をとらえるラインセンサ型の受光素子が内蔵されたＡＦ窓１３が備えられている。
【００１７】
さらに、このカメラ１の前面上部には、セルフタイマ撮影時もしくはリモコン操作時に光を発するセルフタイマ／リモコンランプ１４と、ファインダ対物窓１５と、内蔵された露出調整用のＡＥセンサに光を導くためのＡＥ受光窓１６と、撮影に同期してフラッシュ（閃光）を発するフラッシュ発光部１７とが備えられている。フラッシュ発光部１７は、ズーム鏡胴１１に備えられた光学ズームレンズ１１ａの焦点距離に応じるとともに、撮影距離にも応じて、フラッシュ発光光の被写体への照射角度が変更される構造を有する。
【００１８】
また、このカメラ１の上面には、シャッタボタン１８が備えられており、このカメラ１のシャッタボタン１８により操作されるシャッタには、撮影時に開口径が時間経過に従って広がるプログラムシャッタが採用されている。
【００１９】
さらに、カメラ１の前面内部には、このカメラ１の縦姿勢と横姿勢を検出する姿勢センサ４０が備えられている。姿勢センサ４０の構成については後述する。
【００２０】
図２は、図１のカメラを背面斜め上から見た外観斜視図である。
【００２１】
このカメラ１の背面には、裏蓋２０と、視度調節ダイヤル２１と、ファインダ接眼窓２２と、ピント合わせが完了した時に光を発するＡＦランプ２３と、電源ボタン２４とが備えられている。
【００２２】
裏蓋２０には、光学ズームレンズ１１ａをテレ側（遠距離側）あるいはワイド側（近距離側）に動作させるズームボタン２５と、フイルム確認窓２６と、電池蓋２７とが備えられている。
【００２３】
また、裏蓋２０には、液晶モニタ部２８が備えられている。この液晶モニタ部２８は、オートフラッシュや赤目軽減フラッシュ等のフラッシュモードを表示するためのフラッシュモード表示部２８ａと、セルフタイマの有無やリモコンの有無等を表示するためのセルフタイマモード表示部２８ｂと、オートフォーカス等のフォーカスモードを表示するためのフォーカスモード表示部２８ｃと、年・月・日・時・分等を表示するための日付モード表示部２８ｄと、電池の残存容量を表示するための電池残存表示部２８ｅと、撮影枚数を表示するための撮影枚数表示部２８ｆとを有する。
【００２４】
さらに、裏蓋２０には、各種のメニューやモードの選択を行なうための十字ボタン２９と、各種のメニューを表示したり十字ボタン２９で選択されたメニューやモードを決定するためのメニュー／決定ボタン３０も備えられている。
【００２５】
図３は、図１に示す姿勢センサの構成を示す図である。
【００２６】
姿勢センサ４０は、カメラ１に内蔵されたフレキシブルプリント回路基板（ＦＰＣ）５０に半田付けで実装されている。この姿勢センサ４０には、発光素子４１ａと受光素子４１ｂからなるフォトインタラプタ４１と、鋼球４２と、センサ本体４３と、センサカバー４４とが備えられている。
【００２７】
カメラ１を横向きに構えた場合は、鋼球４２は実線で示すようにフォトインタラプタ４１から比較的離れた位置にある。このため、フォトインタラプタ４１を構成する発光素子４１ａからの光は鋼球４２にまで到達せず、従って受光素子４１ｂでは鋼球４２からの反射光は受光されず、フォトインタラプタ４１から検出信号として横姿勢を示すレベル（例えば‘Ｈ’レベル）が出力される。
【００２８】
一方、カメラ１をフラッシュ発光部１７を上側にして縦向きに構えた場合は、鋼球４２は点線で示す、フォトインタラプタ４１から比較的近い位置に移動する。すると、発光素子４１ａからの光は鋼球４２で反射され、受光素子４１ｂでは鋼球４２からの反射光が受光されて、フォトインタラプタ４１から検出信号として縦姿勢を示すレベル（ここでは‘Ｌ’レベル）が出力される。
【００２９】
図４は、図１に示すカメラにおける、制御の概要を示すブロック図である。
【００３０】
図４には、ＣＰＵ６１と、ＡＦ測距部６２と、測光部６３と、前述した姿勢センサ４０と、ピント設定部６４と、シャッタ部６６と、シャッタボタン１８とが示されている。
【００３１】
ＣＰＵ６１は、このカメラ１全体を制御する。
【００３２】
ＡＦ測距部６２は、本発明にいう測距センサの一例に相当し、このＡＦ測距部６２は、被写体像を、ＡＦ窓１３（図１参照）を介して受光素子で受光して、被写体までの距離を検出する。
【００３３】
測光部６３は、撮影しようとする被写体の明るさを測定する測光動作を行なう。
【００３４】
ピント設定部６４は、光学ズームレンズ１１ａを、ＡＦ測距部６２により検出された距離と姿勢センサ４０により検出された姿勢とに応じた位置に移動させることによりピントを設定する。詳細には、このピント設定部６４は、ＡＦ測距部６２により検出された距離が所定距離以内の近距離であったときは、光学ズームレンズ１１ａを、姿勢センサ４０により検出された姿勢の如何にかかわらず、ＡＦ測距部６２により検出された距離とあらかじめ定められた姿勢（ここでは横姿勢）とに応じた位置に移動させる。
【００３５】
シャッタ部は、シャッタボタン１８の押下を受けて、シャッタ羽根の開閉を制御する。
【００３６】
図５は、本発明の第１のカメラの一実施形態における、シャッタボタンが押された場合に実行される姿勢検出ルーチンのフローチャートである。
【００３７】
先ずステップＳ１において、シャッタボタン１８が押下される。すると、ステップＳ２において、測光部６３で撮影しようとする被写体の明るさを測定する測光動作を行なう。次にステップＳ３において、ＡＦ測距部６２で主要被写体までの距離を測定するＡＦ測距動作を行ない、ステップＳ４に進む。
【００３８】
ステップＳ４では、ＡＦ測距動作により得られた距離が近距離であるか通常距離であるかが判定される。近距離であると判定された場合は、後述するステップＳ６に進む。一方、通常距離であると判定された場合はステップＳ５に進む。
【００３９】
ステップＳ５では、姿勢センサ４０により検出された姿勢が横姿勢（ヨコ位置）か縦姿勢（タテ位置）かが判定される。横姿勢であると判定された場合は、ステップＳ６に進む。ここで、本実施形態のカメラ１は、このカメラ１を横向きに構えた場合における伝達機構部材および融合部材の遊び量に対応して、光学ズームレンズ１１ａが高い精度で位置決めされるように設定されている。従って、ここでは、上記遊び量に対する補正を行なわずにステップＳ８に進む。一方、縦姿勢であると判定された場合は、ステップＳ７に進む。ステップＳ７では、縦姿勢に対応する遊び量に見合った補正を行なってステップＳ８に進む。
【００４０】
ステップＳ８では、光学ズームレンズ１１ａの繰り出しを行なう。次いで、ステップＳ９において露出制御を行なってこのルーチンを終了する。
【００４１】
このように、本発明の第１のカメラの一実施形態であるカメラ１は、ＡＦ測距部６２により検出された距離が近距離であったときは、ピント設定部６４で、光学ズームレンズ１１ａを、姿勢センサ４０により検出された姿勢の如何にかかわらず、ＡＦ測距部６２により検出された距離とあらかじめ定められた横姿勢とに応じた位置に移動させる。一般に、近距離で撮影を行なう場合、カメラ１を横向きに構える場合が多い。そこで、このカメラ１では、そのカメラ１を下向きにして近距離で撮影を行なう場合であっても、姿勢センサ４０から、カメラ１を横向きに構える場合と同じ横姿勢を示す信号を出力し、光学ズームレンズ１１ａを、ＡＦ測距部６２により検出された距離と上記横姿勢とに応じた位置に移動させる。このようにすることにより、近距離での撮影を行なう場合であっても品質の高い写真を得ることができる。
【００４２】
次に、本発明の第２のカメラの一実施形態について説明する。尚、本発明の第２のカメラの一実施形態の外観斜視図および姿勢センサの構成は、前述した本発明の第１のカメラの一実施形態と同じであるため、図示省略する。
【００４３】
本発明の第２のカメラの一実施形態は、光軸方向に移動することによりピントを調節する光学ズームレンズ１１ａを含む撮影光学系を備えるとともに、所定の近距離範囲内での撮影が可能なマクロモードとそのマクロモードでの撮影距離よりも遠方の被写体の撮影が可能な通常モードとを有し、被写体光を捉えて写真撮影を行なうカメラである。ここで、マクロモードと通常モードの切り替えは、図２に示す十字ボタン２９およびメニュー／決定ボタン３０で行なわれる。また、これらマクロモード，通常モードは、フォーカスモード表示部２８ｃに表示される。
【００４４】
図６は、本発明の第２のカメラの一実施形態における、制御の概要を示すブロック図である。
【００４５】
本発明の第２のカメラの一実施形態は、前述した本発明の第１のカメラの一実施形態と比較し、図６に示すように、ピント設定部７４が異なっている。
【００４６】
ピント設定部７４は、光学ズームレンズ１１ａを、通常モードにおいてはＡＦ測距部６２により検出された距離と姿勢センサ４０により検出された姿勢とに応じた位置に移動させることによりピントを設定するとともに、マクロモードにおいては姿勢センサ４０により検出された姿勢の如何にかかわらず、ＡＦ測距部６２により検出された距離とあらかじめ定められた姿勢（ここでは横姿勢）とに応じた位置に移動させることによりピントを設定する。
【００４７】
図７は、本発明の第２のカメラの一実施形態における、シャッタボタンが押された場合に実行される姿勢検出ルーチンのフローチャートである。
【００４８】
先ずステップＳ１１において、シャッタボタン１８が押下され、ステップＳ１２において、測光部６３で撮影しようとする被写体の明るさを測定する測光動作を行なう。次にステップＳ１３において、ＡＦ測距部６２で主要被写体までの距離を測定するＡＦ測距動作を行ない、ステップＳ１４に進む。
【００４９】
ステップＳ４では、マクロモードがオン（マクロモードに設定された）か否かが判定される。マクロモードがオンであると判定された場合は、後述するステップＳ１６に進む。一方、マクロモードがオフである（通常モードに設定されている）と判定された場合はステップＳ１５に進む。
【００５０】
ステップＳ１５では、姿勢センサ４０により検出された姿勢が横姿勢（ヨコ位置）か縦姿勢（タテ位置）かが判定される。横姿勢であると判定された場合は、ステップＳ１６に進む。本発明の第２のカメラの一実施形態であるカメラにおいても、このカメラを横向きに構えた場合における伝達機構部材および融合部材の遊び量に対応して、光学ズームレンズ１１ａが高い精度で位置決めされるように設定されている。従って、ここでは、上記遊び量に対する補正を行なわずにステップＳ１８に進む。一方、縦姿勢であると判定された場合は、ステップＳ１７に進む。ステップＳ１７では、縦姿勢に対応する遊び量に見合った補正を行なってステップＳ１８に進む。
【００５１】
ステップＳ１８では、光学ズームレンズ１１ａの繰り出しを行なう。次いで、ステップＳ１９において露出制御を行なってこのルーチンを終了する。
【００５２】
このように、本発明の第２のカメラの一実施形態は、マクロモードにおいては、姿勢センサ４０により検出された姿勢の如何にかかわらず、ピント設定部７４で、ＡＦ測距部６２により検出された距離とあらかじめ定められた横姿勢とに応じた位置に光学ズームレンズ１１ａを移動させる。一般に、マクロモードで撮影を行なう場合、カメラを横向きに構える場合が多い。そこで、カメラを下向きにしてマクロモードで撮影を行なう場合であっても、姿勢センサ４０から、カメラを横向きに構える場合と同じ横姿勢を示す信号を出力し、光学ズームレンズ１１ａを、ＡＦ測距部６２により検出された距離と上記横姿勢とに応じた位置に移動させる。このようにすることにより、マクロモードでの撮影を行なう場合であっても、品質の高い写真を得ることができる。
【００５３】
【発明の効果】
以上説明したように、本発明のカメラによれば、近接撮影において品質の高い写真を得ることができる。
【図面の簡単な説明】
【図１】本発明の第１のカメラの一実施形態を前面斜め上から見た外観斜視図である。
【図２】図１のカメラを背面斜め上から見た外観斜視図である。
【図３】図１に示す姿勢センサの構成を示す図である。
【図４】図１に示すカメラにおける、制御の概要を示すブロック図である。
【図５】本発明の第１のカメラの一実施形態における、シャッタボタンが押された場合に実行される姿勢検出ルーチンのフローチャートである。
【図６】本発明の第２のカメラの一実施形態における、制御の概要を示すブロック図である。
【図７】本発明の第２のカメラの一実施形態における、シャッタボタンが押された場合に実行される姿勢検出ルーチンのフローチャートである。
【符号の説明】
１  カメラ
１１  ズーム鏡胴
１１ａ  光学ズームレンズ
１２  リモコン受信窓
１３  ＡＦ窓
１４  セルフタイマ／リモコンランプ
１５  ファインダ対物窓
１６  ＡＥ受光窓
１７  フラッシュ発光部
１８  シャッタボタン
２０  裏蓋
２１  視度調節ダイヤル
２２  ファインダ接眼窓
２３  ＡＦランプ
２４  電源ボタン
２５  ズームボタン
２６  フイルム確認窓
２７  電池蓋
２８  液晶モニタ部
２８ａ  フラッシュモード表示部
２８ｂ  セルフタイマモード表示部
２８ｃ  フォーカスモード表示部
２８ｄ  日付モード表示部
２８ｅ  電池残存表示部
２８ｆ  撮影枚数表示部
２９  十字ボタン
３０  メニュー／決定ボタン
４０  姿勢センサ
４１ａ  発光素子
４１ｂ  受光素子
４１  フォトインタラプタ
４２  鋼球
４３  センサ本体
４４  センサカバー
５０  フレキシブルプリント回路基板（ＦＰＣ）
６１  ＣＰＵ
６２  ＡＦ測距部
６３  測光部
６４，７４  ピント設定部
６６  シャッタ部
【図１】
2004295008.tif 000003
【図２】
2004295008.tif 000004
【図３】
2004295008.tif 000005
【図４】
2004295008.tif 000006
【図５】
2004295008.tif 000007
【図６】
2004295008.tif 000008
【図７】
2004295008.tif 000009